(57)【要約】【課題】  光ディスクから高速に情報を取得し、短時間で同一領域での連続した読み出しが可能な光ディスク装置を提供する。【解決手段】  光ピックアップ１０２の検出情報から所定のクロックを生成し、ディスクモータ１０１及び光ピックアップ１０２を制御するＰＬＬ制御手段１０３と、光ディスクの追従中に、光ピックアップ１０２を、現在の前後所定本数のトラック位置へ移動させるトラックジャンプ手段１０４と、ディスクモータ１０１から回転量を検出する回転量検出手段１０５とを備え、前記ＰＬＬ制御手段１０３により同期状態を保持し、光ディスク内の読み出し領域から読み出しを開始し、回転量検出手段１０５により読み出し領域の終端を検出し、トラックジャンプ手段１０４により再び読み出し領域に光ピックアップ１０２をトラックジャンプし、同期状態を保持したまま連続して同一領域での読み出しを開始するようにした。【選択図】  図２
2007048363.tif 000002
【特許請求の範囲】
【請求項１】
光ディスクを回転駆動するディスクモータと、
前記光ディスクから信号を読み出す光ピックアップと、
前記光ピックアップの検出情報から所定のクロックを生成し、前記ディスクモータ及び前記光ピックアップを制御するＰＬＬ制御手段と、
前記光ディスクの追従中に、前記光ピックアップを現在の前後所定本数のトラック位置へ移動させるトラックジャンプ手段と、
前記ディスクモータから前記光ディスクの回転量を検出する回転量検出手段と、
前記光ピックアップが光ディスク内の読み出し領域に到達したか否か、及び光ディスクからの情報を所定回数取得したか否かを検出するディスク情報読み出し制御手段とを備え、
前記ＰＬＬ制御手段により同期状態を保持するよう制御し、前記読み出し領域から情報の読み出しを開始し、前記回転量検出手段により前記読み出し領域の終端を検出し、前記トラックジャンプ手段により光ピックアップを読み出し領域にトラックジャンプし、同期状態を保持したまま同一領域での読み出しを繰り返し行う、
ことを特徴とする光ディスク装置。
【請求項２】
請求項１に記載の光ディスク装置において、
前記光ディスク内の読み出し領域が、光ディスクの１回転分である、
ことを特徴とする光ディスク装置。
【請求項３】
請求項１または２に記載の光ディスク装置において、
前記光ピックアップがトラックジャンプ状態であるか否かを検出するトラックジャンプ状態検出手段を備えた、
ことを特徴とする光ディスク装置。
【請求項４】
請求項３に記載の光ディスク装置において、
前記トラックジャンプ状態検出手段により、前記光ピックアップがトラックジャンプ状態であることを検出したときは、光ディスクからの情報の読み出しを一時停止する、
ことを特徴とする光ディスク装置。
【請求項５】
請求項１に記載の光ディスク装置において、
前記読み出し領域が読み出し有効区間であるか否かを検出する読み出し有効区間検出手段を備えた、
ことを特徴とする光ディスク装置。
【請求項６】
請求項１ないし５のいずれかに記載の光ディスク装置において、
同一領域での読み出しを行う毎に、前記回転量検出手段からの光ディスクの回転量情報に基づいて、トラックジャンプするタイミングをずらしながら、前記トラックジャンプ手段により光ピックアップのトラックジャンプを行う、
ことを特徴とする光ディスク装置。
【発明の詳細な説明】
【技術分野】
【０００１】
本発明は、光ディスクから高速に情報を取得することができる光ディスク装置に関する。
【背景技術】
【０００２】
ＣＤ（コンパクトディスク）、ＤＶＤ（ディジタルバーサタイルディスク）、ＢＤ（ブルーレイディスク）などをはじめとする光ディスク媒体は、記録可能なメディアが実用化されており、民生機器でも、記録を行なえることが、一般的となりつつある。また、それらの多くは、ＣＤ、ＤＶＤ、ＢＤのように、スパイラル状にトラックが構成されている。
【０００３】
しかし、その光ディスク自体は、メーカーによって様々な特性があるため、記録する際のレーザーパワーなどは、光ディスク装置が事前に一意に決められるものではない。よって、記録可能な光ディスク装置の多くは、有効なデータを記録する前に、光ディスクの所定の領域に記録を実施し、その記録品質を測定する（読み出す）ことで、そのメディアを記録するのに最適な設定情報を算出している。
【０００４】
また、記録型光ディスクの普及に伴い、記録速度に関しても高速化の需要が高まってきている。ここで、一度記録を開始してから事前に記録パワーなどの算出にかかる時間も記録速度の高速化の際に考慮する必要がある。これは、例えば民生機器のレコーダーなどにおいて、電源投入から録画開始までの間に時間がかかる直接要因の一つであり、録画開始までの時間短縮に対するユーザーの要望はとても強い。
【０００５】
しかし、所定の領域に記録し、その領域から様々な情報を取得するために、同じ領域から光ディスク情報を繰り返し読み出す必要がある。これまでの手順は、
（１）所定の領域に記録する。
（２）所定の領域より手前に光ピックアップを移動させる。
（３）ＳＹＮＣ情報やＷＯＢＢＬＥ情報などに基づいてＰＬＬをロック（同期状態を保持）し、モーターや光ピックアップを制御する。
（４）所定の領域到達後、情報を取得する。
そして、再び（２）の作業にもどる。
の順である。
【０００６】
このように、光ディスクに記録を開始する前に、光ディスクの所定の領域を使用して記録を行い、それを何度も読み出して記録パワーなどの最適な値を求めるが、何度も読み出しを行う際、読み出し領域より手前に光ピックアップを移動し読み出し領域から光ディスク情報を読み出すことになるため、同一領域での読み出しを行う場合であっても読み出しに時間がかかってしまう。
【０００７】
例えば、光ピックアップを所定の位置まで移動して、同期状態を保持しなおす処理（ＳＥＥＫ処理）の時間により、読み出しに時間がかかる。そこで、これまでは、このＳＥＥＫ処理時間を短くする技術などがあり、特許文献１はその一つである。これは、ＳＥＥＫ処理における、光ピックアップの移動時間と、ディスクの回転待ち時間を短縮するものである。
【０００８】
図９は、従来の光ディスク装置のブロック図である。
図９において、９００は光ディスクであり、ＣＤやＤＶＤをはじめとする記憶媒体である。９０１はディスクモータであり、光ディスク９００を回転駆動する。９０２は光ピックアップであり、光ディスク９００から信号を読み出す。９０３は同期状態制御手段であり、前記光ピックアップ９０２から得られるＷＯＢＢＬＥ情報や、ＳＹＮＣ情報などに基づき、同期をかけて所定のクロックを生成し、前記ディスクモータ９０１や、前記光ピックアップ９０２の位置を制御する。９０４はディスク情報読み出し制御手段であり、光ピックアップ９０２が読み出し領域に到達したか否か、及び所定の読み出し情報を所定回数取得済みであるか否かを検出し、また、読み出し領域の終端を検出し、光ディスクから情報を読み出すよう制御する。
【０００９】
図１０は、従来の光ディスク装置のフロー図である。以下、図１０のフロー図を用いて、連続して同一領域から情報を読み出す従来の光ディスク装置の動作について説明する。
【００１０】
図１０において、まず最初に、光ピックアップ９０２を読み出し領域よりも手前に移動する（ステップＳ１００１）。次に同期がかかるまで、前記光ディスク９００のトラックを追従し、同期がかかれば（ステップＳ１００２）、前記ディスク情報読み出し制御手段９０４により、前記光ディスク９００からのＷＯＢＢＬＥ情報や、ＳＹＮＣ情報などから得られる物理アドレス情報に基づき、光ピックアップ９０２が読み出し領域に到達したか否かを確認する（ステップＳ１００３）。光ピックアップ９０２が読み出し領域に到達したら、前記ディスク情報読み出し制御手段９０４により光ディスク情報を読み出すよう制御して、読み出しを開始する（ステップＳ１００４）。そして読み出し領域の終端まで到達したかどうかを、前記ディスク読み出し制御手段９０４により検出する（ステップＳ１００５）。読み出し領域の終端を検出したら（ステップＳ１００５でＹｅｓ）、所定の情報を所定回数取得済みか否かを確認し（ステップＳ１００６）、まだ取得が完了していなければ（ステップＳ１００６でＮｏ）、再び、光ピックアップ９０２を読み出し領域より手前に移動させ（ステップＳ１００１）、読み出しが完了していれば（ステップＳ１００６でＹｅｓ）、読み出し処理を停止する（ステップＳ１００６）。
【特許文献１】特開平６−５２６３８号公報
【発明の開示】
【発明が解決しようとする課題】
【００１１】
このように、従来の光ディスク装置では、同一領域での連続した読み出しにおいて、読み出し領域よりも手前に光ピックアップを移動させる必要があり、また、再度同期がかかるのを待つ必要があるという問題があった。
【００１２】
また、ＳＥＥＫ処理をどんなに短縮しても、読み出し対象領域の開始位置よりも物理的に手前に光ピックアップを移動させるため、トラックを数本移動するのにかかる時間と、光ピックアップが読み出し領域の手前の領域に到着し、トラックをしばらく追従し、同期がかかるのを待つ時間が、どうしても必要になるため、「ＳＥＥＫ時間を減らす」だけでは、時間短縮に限界があった。
【００１３】
本発明は、上記のような従来の問題点を解決するためになされたもので、短時間で同一領域での連続読み出しを行うことが出来る光ディスク装置を提供することを目的とする。
【課題を解決するための手段】
【００１４】
上記課題を解決するために、本発明の請求項１による光ディスク装置は、光ディスクを回転駆動するディスクモータと、前記光ディスクから信号を読み出す光ピックアップと、前記光ピックアップの検出情報から所定のクロックを生成し、前記ディスクモータ及び前記光ピックアップを制御するＰＬＬ制御手段と、前記光ディスクの追従中に、前記光ピックアップを現在の前後所定本数のトラック位置へ移動させるトラックジャンプ手段と、前記ディスクモータから前記光ディスクの回転量を検出する回転量検出手段と、前記光ピックアップが光ディスク内の読み出し領域に到達したか否か、及び光ディスクからの情報を所定回数取得したか否かを検出するディスク情報読み出し制御手段とを備え、前記ＰＬＬ制御手段により同期状態を保持するよう制御し、前記読み出し領域から情報の読み出しを開始し、前記回転量検出手段により前記読み出し領域の終端を検出し、前記トラックジャンプ手段により光ピックアップを読み出し領域にトラックジャンプし、同期状態を保持したまま同一領域での読み出しを繰り返し行うことを特徴とするものである。
【００１５】
本発明の請求項２による光ディスク装置は、請求項１に記載の光ディスク装置において、前記光ディスク内の読み出し領域が、光ディスクの１回転分であることを特徴とするものである。
【００１６】
本発明の請求項３による光ディスク装置は、請求項１または２に記載の光ディスク装置において、前記光ピックアップがトラックジャンプ状態であるか否かを検出するトラックジャンプ状態検出手段を備えたことを特徴とするものである。
【００１７】
本発明の請求項４による光ディスク装置は、請求項３に記載の光ディスク装置において、前記トラックジャンプ状態検出手段により、前記光ピックアップがトラックジャンプ状態であることを検出したときは、光ディスクからの情報の読み出しを一時停止することを特徴とするものである。
【００１８】
本発明の請求項５による光ディスク装置は、請求項１に記載の光ディスク装置において、前記読み出し領域が読み出し有効区間であるか否かを検出する読み出し有効区間検出手段を備えたことを特徴とするものである。
【００１９】
本発明の請求項６による光ディスク装置は、請求項１ないし５のいずれかに記載の光ディスク装置において、同一領域での読み出しを行う毎に、前記回転量検出手段からの光ディスクの回転量情報に基づいて、トラックジャンプするタイミングをずらしながら、前記トラックジャンプ手段により光ピックアップのトラックジャンプを行うことを特徴とするものである。
【発明の効果】
【００２０】
本発明によれば、ＰＬＬ制御手段により一度同期状態が保持されれば、トラックジャンプ手段によりトラックジャンプした後も、同期状態を保持し続けるようにする。このときトラックジャンプが発生しているため、ＷＯＢＢＬＥ情報などから物理アドレスを読み出したりすることは出来ない状態ではあるが、これは、記録品質にかかる情報の取得においては必要の無い情報であるため、問題はない。これにより、本発明の光ディスク装置は、光ディスクからの情報の読み出しにおいて、読み出し対象領域より手前への光ピックアップの移動時間や、同期状態を再度保持するまでの時間が不要となり、連続して読み出しを実施することができ、読み出しにおける大幅な時間短縮が実現できる。
【００２１】
本発明の請求項１による光ディスク装置によれば、光ディスクを回転駆動するディスクモータと、前記光ディスクから信号を読み出す光ピックアップと、前記光ピックアップの検出情報から所定のクロックを生成し、前記ディスクモータ及び前記光ピックアップを制御するＰＬＬ制御手段と、前記光ディスクの追従中に、前記光ピックアップを現在の前後所定本数のトラック位置へ移動させるトラックジャンプ手段と、前記ディスクモータから前記光ディスクの回転量を検出する回転量検出手段と、前記光ピックアップが光ディスク内の読み出し領域に到達したか否か、及び光ディスクからの情報を所定回数取得したか否かを検出するディスク情報読み出し制御手段とを備え、前記ＰＬＬ制御手段により同期状態を保持するよう制御し、前記読み出し領域から情報の読み出しを開始し、前記回転量検出手段により前記読み出し領域の終端を検出し、前記トラックジャンプ手段により光ピックアップを読み出し領域にトラックジャンプし、同期状態を保持したまま同一領域での読み出しを繰り返し行うようにしたので、光ディスクの同一領域から繰り返し情報を読み出す際、読み出しを高速に行うことができるという効果がある。
【００２２】
本発明の請求項２による光ディスク装置によれば、請求項１に記載の光ディスク装置において、前記光ディスク内の読み出し領域が、光ディスクの１回転分であるようにしたので、効率のよい高速な読み出しをすることができるという効果がある。
【００２３】
本発明の請求項３による光ディスク装置によれば、請求項１または２に記載の光ディスク装置において、前記光ピックアップがトラックジャンプ状態であるか否かを検出するトラックジャンプ状態検出手段を備えるようにしたので、無駄な区間を排除するための情報を取得することができ、読み出し結果の精度を高めることができるという効果がある。
【００２４】
本発明の請求項４による光ディスク装置によれば、請求項３に記載の光ディスク装置において、前記トラックジャンプ状態検出手段により、前記光ピックアップがトラックジャンプ状態であることを検出したときは、光ディスクからの情報の読み出しを一時停止するようにしたので、無効なデータを排除して、読み出し結果の精度を高めることができるという効果がある。
【００２５】
本発明の請求項５による光ディスク装置によれば、請求項１に記載の光ディスク装置において、前記読み出し領域が読み出し有効区間であるか否かを検出する読み出し有効区間検出手段を備えるようにしたので、より細かな読み出し制御を行いながら、高速に読み出しを行うことができるという効果がある。
【００２６】
本発明の請求項６による光ディスク装置によれば、請求項１ないし５のいずれかに記載の光ディスク装置において、同一領域での読み出しを行う毎に、前記回転量検出手段からの光ディスクの回転量情報に基づいて、トラックジャンプするタイミングをずらしながら、前記トラックジャンプ手段により光ピックアップのトラックジャンプを行うようにしたので、光ディスクの同じ場所にトラックジャンプすることにより、読み出すことのできなかった読み出し領域の情報を読み出すことができるという効果がある。
【発明を実施するための最良の形態】
【００２７】
（実施の形態１）
図１は、本発明の実施の形態１にかかる光ディスク装置のブロック図である。
図１において、１００は光ディスクであり、ＣＤやＤＶＤをはじめとする記憶媒体である。１０１はディスクモータであり、光ディスク１００を回転駆動する。１０２は光ピックアップであり、光ディスク１００から信号を読み出す。１０３はＰＬＬ制御手段であり、前記光ピックアップ１０２から得られるＷＯＢＢＬＥ情報やＳＹＮＣ情報など、もしくは、ＰＬＬ制御手段１０３の内部のクロックに基づき所定のクロックを生成し、前記ディスクモータ１０１や前記光ピックアップ１０２の位置を制御する。１０４はトラックジャンプ手段であり、光ディスク１００のトラック追従中に、前記光ピックアップ１０２を現在の前後所定本数のトラック位置へ移動させる。１０５は回転量検出手段であり、前記ディスクモータ１０１から光ディスク１００の回転量を検出する。１０６はディスク情報読み出し制御手段であり、光ピックアップ１０２が読み出し領域に到達したか否か、及び所定の読み出し情報を所定回数取得済みであるか否かを検出し、光ディスク１００から情報を読み出すよう制御する。
【００２８】
次に動作について説明する。
図２は、本発明の実施の形態１にかかる光ディスク装置のフロー図である。以下、図２のフロー図を用いて、高速に連続して同一領域から光ディスク情報を読み出す動作について説明する。
【００２９】
図２において、まず最初に、トラックジャンプ手段１０４により、光ピックアップ１０２を読み出し領域よりも手前に移動する（ステップＳ２０１）。次にＰＬＬ制御手段１０３により、同期状態になるまでトラックを追従し（ステップＳ２０２）、内部の同期状態を保持する（ステップＳ２０３）。ディスク情報読み出し制御手段１０６により、同期状態を保持したときＷＯＢＢＬＥ情報やＳＹＮＣ情報などから得られる物理アドレス情報に基づいて、光ピックアップ１０２が読み出し領域に到達したか否かを確認する（ステップＳ２０４）。光ピックアップ１０２が読み出し領域に到達したら（ステップＳ２０４でＹｅｓ）、ディスク情報読み出し制御手段１０６により、光ディスク情報を読み出すよう制御して、読み出しを開始する（ステップＳ２０５）。読み出し領域の終端まで回転したか否かを回転量検出手段１０５により検出する（ステップＳ２０６）。回転量検出手段１０５により読み出し領域の終端を検出したら（ステップＳ２０６でＹｅｓ）、ディスク情報読み出し手段１０６により、所定の読み出し情報を所定回数取得済みであるか否かを確認する（ステップＳ２０７）。所定の読み出し情報の所定回数取得が完了していなければ（ステップＳ２０７でＮｏ）、トラックジャンプ手段１０４により光ピックアップ１０２をトラックジャンプし、読み出し領域に光ピックアップ１０２を移動させる（ステップＳ２０８）。そしてステップＳ２０６に戻って光ディスク情報の読み出しを行い、所定の読み出し情報を取得する。このとき、同期状態を保持しているので、光ピックアップ１０２は読み出し領域の位置に移動することができる。すでに所定の読み出し情報の取得が完了していれば（ステップＳ２０７でＹｅｓ）、同期状態の保持を解除し、読み出し処理を停止する（ステップＳ２０９）。
【００３０】
ここで、読み出したい情報は記録品質に関する情報であり読み出し場所は厳密である必要がないことが多い。例えば、１周（１トラック）とその前後にわたって記録を行ない、その真ん中のトラックを何度も読み出すことがある。そこで、同一トラックを連続して読み出すとき、最初の読み出しで同期状態を保持し、読み出し後すぐに一本内側のトラックへジャンプし、そのまま読み出しを続行する。このとき、同期状態を保持したままなので、読み出し間隔を一定に保つことができる。これにより、記録品質に関わる情報などの読み出しを高速に行うことができる。
【００３１】
また、光ディスク１００から情報を読み出す際に、情報を読み出そうとする領域に同一情報が繰り返し記録されていた場合は、読み出し開始位置が多少前後にずれていても影響がないため、回転量検出手段１０５により、少しずつタイミングをずらしながら光ディスク１００が一周まわった旨をトラックジャンプ手段１０４に通知し、前記トラックジャンプ手段１０４がトラックジャンプを行ったり、前記トラックジャンプ手段１０４がトラックジャンプするタイミングを少しずつ変化させていく機能を持つようにしてもよい。これにより、トラックジャンプを行っていた境界付近の情報についても取得することができる。
【００３２】
このように、本実施の形態１による光ディスク装置によれば、光ピックアップ１０２の検出情報から所定のクロックを生成し、ディスクモータ１０１及び光ピックアップ１０２を制御するＰＬＬ制御手段１０３と、光ディスク１００の追従中に、光ピックアップ１０２を現在の前後所定本数のトラック位置へ移動させるトラックジャンプ手段１０４と、ディスクモータ１０１から前記光ディスク１００の回転量を検出する回転量検出手段１０５と、光ピックアップ１０２が光ディスク内の読み出し領域に到達したか否か、及び光ディスクからの情報を所定回数取得したか否かを検出するディスク情報読み出し制御手段１０６とを備え、前記ＰＬＬ制御手段１０３により同期状態を保持し、前記光ディスク内の読み出し領域から読み出しを開始し、前記回転量検出手段１０５により読み出し領域の終端を検出し、前記トラックジャンプ手段１０４により光ピックアップ１０２を読み出し領域にトラックジャンプし、同期状態を保持したまま同一領域での読み出しを繰り返し行うようにしたので、同一領域での読み出しを繰り返し行うときに読み出し領域よりも手前に光ピックアップを繰り返し移動させる必要もなく、一旦同期状態を保持した後は読み出しを行う毎に再度同期状態になるのを待つ必要もないため、高速な読み出しを行うことができ、光ディスクの記録開始までの時間短縮が可能になるという効果がある。
【００３３】
（実施の形態２）
図３は、本発明の実施の形態２にかかる光ディスク装置のブロック図であり、本発明の実施の形態１の光ディスク装置に、トラックジャンプ中であることを検出するトラックジャンプ状態検出手段３０６をさらに備えている。
【００３４】
図３において、３００は光ディスクであり、ＣＤやＤＶＤをはじめとする記憶媒体である。３０１はディスクモータであり、光ディスク３００を回転駆動する。３０２は光ピックアップであり、光ディスク３００から信号を読み出す。３０３はＰＬＬ制御手段であり、前記光ピックアップ３０２から得られるＷＯＢＢＬＥ情報やＳＹＮＣ情報など、もしくは、ＰＬＬ制御手段３０３の内部のクロックに基づき所定のクロックを生成し、前記ディスクモータ３０１や前記光ピックアップ３０２の位置を制御する。３０４はトラックジャンプ手段であり、光ディスク３００のトラック追従中に、前記光ピックアップ３０２を、現在の前後所定本数のトラック位置へ移動させる。３０５は回転量検出手段であり、前記ディスクモータ３０１から光ディスク３００の回転量を検出する。３０６はトラックジャンプ状態検出手段であり、前記トラックジャンプ手段３０４によって、前記光ピックアップ３０２がトラック間を移動中であることを検出する。トラックジャンプ状態検出手段３０６により、光ピックアップ３０２がトラック間を移動中であることを検出している間は、読み出しを一時停止して一時停止状態を保持し、読み出しを再開しない。３０７はディスク情報読み出し制御手段であり、光ピックアップ３０２が読み出し領域に到達したか否か、及び所定の読み出し情報を所定回数取得済みであるか否かを検出し、光ディスク３００から情報を読み出すよう制御する。
【００３５】
次に動作について説明する。
図４は、本発明の実施の形態２にかかる光ディスク装置のトラックジャンプ状態検出手段の検出タイミングの概略図である。
【００３６】
図４において、トラックジャンプ状態検出手段３０６により、光ピックアップ３０２がＮ＋１トラック目からＮトラック目に移動したタイミングが検出されている。
【００３７】
図５は、本発明の実施の形態２にかかる光ディスク装置のフロー図である。以下、図５のフロー図を用いて、高速に連続して同一領域から光ディスク情報を読み出しつつ、トラックジャンプ中は読み出しを一時停止する動作について説明する。
【００３８】
図５において、まず最初に、トラックジャンプ手段３０６により光ピックアップ３０２を読み出し領域より手前に移動する（ステップＳ５０１）。次にＰＬＬ制御手段３０３により、同期状態になるまでトラックを追従し（ステップＳ５０２）、同期状態になれば、内部の同期状態を保持する（ステップＳ５０３）。そして、ディスク情報読み出し制御手段３０７により、同期状態を保持したときＷＯＢＢＬＥ情報やＳＹＮＣ情報などから得られる物理アドレス情報に基づいて、光ピックアップ３０２が読み出し領域に到達したか否かを確認する（ステップＳ５０４）。光ピックアップ３０２が読み出し領域に到達したら（ステップＳ５０４でＹｅｓ）、ディスク情報読み出し制御手段３０７により光ディスクからの情報を読み出すよう制御し、読み出しを開始する（ステップＳ５０５）。そして読み出し領域の終端まで回転したか否かを回転量検出手段３０５により検出する（ステップＳ５０６）。回転量検出手段３０５により読み出し領域の終端を検出したら（ステップＳ５０６でＹｅｓ）、ディスク情報読み出し制御手段３０７により、所定の読み出し情報を所定回数取得済みか否かを確認する（ステップＳ５０７）。
【００３９】
ここで、所定の読み出し情報を所定回数取得済みでない場合は（ステップＳ５０７でＮｏ）、トラックジャンプ手段３０６により光ピックアップ３０２をトラックジャンプし、光ピックアップを読み出し領域に移動させる（ステップＳ５０８）。このとき、同期状態を保持している状態なので、光ピックアップ３０２は読み出し領域の位置に移動することができる。そして、トラックジャンプ状態検出手段３０６により読み出しを一時停止し（ステップＳ５１０）、トラックジャンプ状態であるか否かを検出する（ステップＳ５１１）。トラックジャンプ状態であることを検出したときは（ステップＳ５１１でＹｅｓ）、その後再度トラックジャンプ状態であるか否かを検出する（ステップＳ５１１）。トラックジャンプ状態検出手段３０６によりトラックジャンプ状態が解消されたことを検出したときは（ステップＳ５１１でＮｏ）、再び読み出しを開始する（ステップＳ５０５）。
【００４０】
すでに所定の読み出し情報を所定回数取得ずみであれば（ステップＳ５０７でＹｅｓ）、同期状態の保持を解除し、読み出し処理を停止する（ステップＳ５０９）。
【００４１】
図６は、本発明の実施の形態２による光ディスク装置の他のフロー図である。以下、図６のフローを用いて、トラックジャンプ状態検出手段３０６により光ディスク情報の読み出しを中断、再開する場合の動作について説明する。
【００４２】
図６において、ステップＳ２０１からステップＳ２０９までの動作は図２で説明した動作と同様である。ここで、読み出しを開始した後（ステップＳ２０５）にトラックジャンプ状態とトラックジャンプからの復帰を検出するステップ（ステップＳ６０１）が追加されている。なお、トラックジャンプからの復帰とは、トラックジャンプ状態を検出して読み出しを中断した後、再度トラックジャンプ状態を検出したときにトラックジャンプが終了した状態をいう。
【００４３】
トラックジャンプ状態検出手段３０６は、読み出しを開始（ステップＳ２０５）した後から所定の読み出し情報を所定回数取得（ステップＳ２０７）するまでの間、トラックジャンプ状態とトラックジャンプからの復帰を検出する（ステップＳ６０１、Ｓ６０２）。トラックジャンプ状態検出手段３０６がトラックジャンプ検出中である時、読み出しを中断し（ステップＳ６０３）、再度トラックジャンプ状態検出手段３０６がトラックジャンプからの復帰を検出したときに、読み出しを再開させる（ステップＳ６０４）。これにより、読み出しを行っている間に予測しないトラックジャンプが生じたときであっても、トラックジャンプ状態検出手段３０６によりトラックジャンプ状態を検出したときに一旦読み出しを中断し、トラックジャンプ状態からの復帰を検出したときに読み出しを再開するようにしたので、トラックジャンプ中で情報を読み出せない状態での読み出しを排除することができる。
【００４４】
このように、本実施の形態２による光ディスク装置によれば、光ピックアップ３０２がトラックジャンプ状態であるか否かを検出するトラックジャンプ状態検出手段３０６を備えるようにしたので、同一領域での読み出しを繰り返し行うときに、読み出し領域よりも手前に光ピックアップを繰り返し移動させる必要もなく、一旦同期状態を保持した後は読み出しを行う毎に再度同期状態になることを待つ必要もないため、高速な読み出しを行うことができ、さらに、トラックジャンプ中に読み出しを一時停止することができるため、効率よく、光ディスクの記録開始までの時間短縮が可能になるという効果がある。
【００４５】
（実施の形態３）
図７は、本発明の実施の形態３にかかる光ディスク装置のブロック図であり、本発明の実施の形態１の光ディスク装置に、読み出し対象区間かどうか判定することができる読み出し有効区間通知手段７０６をさらに備えている。
【００４６】
図７において、７００は光ディスクであり、ＣＤやＤＶＤをはじめとする記憶媒体である。７０１はディスクモータであり、光ディスク７００を回転駆動する。７０２は光ピックアップであり、光ディスク７００から信号を読み出す。７０３はＰＬＬ制御手段であり、前記光ピックアップ７０２から得られるＷＯＢＢＬＥ情報やＳＹＮＣ情報など、もしくは、ＰＬＬ制御手段７０３の内部のクロックに基づき所定のクロックを生成し、前記ディスクモータ７０１や前記光ピックアップ７０２の位置を制御する。７０４はトラックジャンプ手段であり、光ディスク７００のトラック追従中に、前記光ピックアップ７０２を現在の前後所定本数のトラック位置へ移動させる。７０５は回転量検出手段であり、前記ディスクモータ７０１から光ディスク７００の回転量を検出する。７０６は読み出し有効区間検出手段であり、前記トラックジャンプ手段７０４によって、前記光ピックアップ７０２がトラック間を移動中であることを検出し、さらに、所定の読み出し対象区間であるか否かを判断する。ここで、読み出し有効区間検出手段７０６は、読み出し対象区間でないことを検出した場合は読み出しを中断する。また、読み出し有効区間検出手段７０６は、トラックジャンプ状態も検出し、光ピックアップ７０２がトラック間を移動中であることを検出している間も読み出しを中断する。７０７はディスク情報読み出し制御手段であり、光ピックアップ７０２が読み出し領域に到達したか否か、及び所定の読み出し情報を所定回数取得済みであるか否かを検出し、光ディスク７００から情報を読み出すよう制御する。
【００４７】
次に動作について説明する。
図８は、本発明の実施の形態３にかかる光ディスク装置のフロー図である。以下、図８のフロー図を用いて、高速に連続して同一領域から光ディスク情報を読み出しつつ、無効な状態の読み出しを排除するとともに、読み出し区間の指定を行う動作について説明する。
【００４８】
図８において、まず最初に、トラックジャンプ手段７０４により光ピックアップ７０２を読み出し領域よりも手前に移動する（ステップＳ８０１）。次に、ＰＬＬ制御手段７０３により同期状態になるまでトラックを追従し（ステップＳ８０２）、同期状態になれば、内部の同期状態を保持する（ステップＳ８０３）。ディスク情報読み出し制御手段７０７により、同期状態を保持したときＷＯＢＢＬＥ情報やＳＹＮＣ情報などから得られる物理アドレス情報に基づき、光ピックアップ７０２が読み出し領域に到達したかを確認する（ステップＳ８０４）。光ピックアップ７０２が読み出し領域に到達したら（ステップＳ８０４でＹｅｓ）、ディスク情報読み出し制御手段７０７により、光ディスクからの情報を読み出すように制御して、読み出しを開始する（ステップＳ８０５）。
【００４９】
ここで、読み出しを開始（ステップＳ８０５）した後から読み出し処理を停止（ステップＳ８１１）するまでの間、読み出し有効区間検出手段７０６により、読み出し有効区間であるか否かを検出する（ステップＳ８０６、Ｓ８１０）。光ディスク情報の読み出し中（ステップＳ８０５〜Ｓ８０９）に前記読み出し有効区間検出手段７０６により読み出し有効区間でないことを検出したときは、読み出しを中断する（ステップＳ８１２）。読み出しを中断後、前記読み出し有効区間検出手段７０６により読み出し有効区間であることを検出したときは、読み出しを再開する（ステップＳ８１３）。なお、前記読み出し有効区間検出手段７０６は、トラックジャンプ中などの時は読み出し有効区間ではないと判断する。
【００５０】
続いて、読み出し領域の終端まで回転したかどうかを回転量検出手段７０５により検出する（ステップＳ８０７）。回転量検出手段７０５により読み出し領域の終端を検出したら（ステップＳ８０７でＹｅｓ）、ディスク情報読み出し制御手段７０７により、所定の読み出し情報を所定回数取得済みであるか否かを確認する（ステップＳ８０８）。所定の読み出し情報を所定回数取得済みでない場合は（ステップＳ８０８でＮｏ）、トラックジャンプ手段７０４により光ピックアップ７０２をトラックジャンプし、読み出し領域に光ピックアップ７０２を移動させる（ステップＳ８０９）。そしてステップＳ８０６に戻って光ディスク情報の読み出しを行い、所定の読み出し情報を取得する。このとき、同期状態を保持しているので、光ピックアップ１０２は読み出し領域の位置に移動することができる。すでに所定の読み出し情報を所定回数取得済みであれば（ステップＳ８０８でＹｅｓ）、読み出し有効区間であるか否かの検出を停止し（ステップＳ８１０）、ＰＬＬのロックを解除し、測定処理を停止する（ステップＳ８１１）。
【００５１】
このように、本実施の形態３による光ディスク装置によれば、読み出し領域が読み出し有効区間であるか否かを検出する読み出し有効区間検出手段７０６を備えるようにしたので、同一領域での読み出しを繰り返し行うときに、読み出し領域よりも手前に光ピックアップを繰り返し移動させる必要もなく、一旦同期状態を保持した後は読み出しを行う毎に再度同期状態になるのを待つ必要もないため、高速な読み出しを行うことができ、さらに、トラックジャンプ中で情報を読み出せない状態での読み出しを排除するとともに、細かな単位で読み出し範囲を指定することができるため、効率のよい、高速な読み出しができ、光ディスクの記録開始までの時間短縮が可能になるという効果がある。
【産業上の利用可能性】
【００５２】
本発明は、光ディスク装置において、光ディスクの同一領域に対する高速な連続読み出しが可能であり、例えば、記録開始前に行う記録パワーの調整にかかる光ディスク情報の読み出しなどを高速に行う際などに有用である。
【図面の簡単な説明】
【００５３】
【図１】本発明の実施の形態１にかかる光ディスク装置のブロック図である。
【図２】本発明の実施の形態１にかかる光ディスク装置のフロー図である。
【図３】本発明の実施の形態２にかかる光ディスク装置のブロック図である。
【図４】本発明の実施の形態２にかかる光ディスク装置のトラックジャンプ状態検出手段による検出タイミングの概略図である。
【図５】本発明の実施の形態２にかかる光ディスク装置のフロー図である。
【図６】本発明の実施の形態２にかかる光ディスク装置の他のフロー図である。
【図７】本発明の実施の形態３にかかる光ディスク装置のブロック図である。
【図８】本発明の実施の形態３にかかる光ディスク装置のフロー図である。
【図９】従来の光ディスク装置のブロック図である。
【図１０】従来の光ディスク装置のフロー図である。
【符号の説明】
【００５４】
１００、３００、７００、９００  光ディスク
１０１、３０１、７０１、９０１  ディスクモータ
１０２、３０２、７０２、９０２  光ピックアップ
１０３、３０３、７０３  ＰＬＬ制御手段
１０４、３０４、７０４  トラックジャンプ手段
１０５、３０５、７０５  回転量検出手段
１０６、３０７、７０７、９０４  ディスク情報読み出し制御手段
３０６  トラックジャンプ状態検出手段
７０６  読み出し有効区間検出手段
９０３  同期状態制御手段
【図１】
2007048363.tif 000003
【図２】
2007048363.tif 000004
【図３】
2007048363.tif 000005
【図４】
2007048363.tif 000006
【図５】
2007048363.tif 000007
【図６】
2007048363.tif 000008
【図７】
2007048363.tif 000009
【図８】
2007048363.tif 000010
【図９】
2007048363.tif 000011
【図１０】
2007048363.tif 000012